【手続補正書】
【提出日】平成20年6月4日(2008.6.4)
【手続補正１】
【補正対象書類名】明細書
【補正対象項目名】特許請求の範囲
【補正方法】変更
【補正の内容】
【特許請求の範囲】
【請求項１】
サーバと、前記サーバと相互通信が可能である携帯用情報機器と、前記サーバが送信した情報を受信する表示装置と、を含む情報提供システムであって、
前記サーバは、データベースと、携帯用情報機器から送信された検索信号を受信する手段と、前記携帯用情報機器および表示装置の個体識別に関する信号を受信する手段と、前記検索信号をもとに前記データベースの検索を行う手段と、検索した情報を表示装置に送信する手段と、前記携帯用情報機器に対して情報提供料を課金する手段と、を含むことを特徴とする情報提供システム。
【請求項２】
サーバと、前記サーバと相互通信が可能である携帯用情報機器と、前記サーバが送信した情報を受信する表示装置と、を含む情報提供システムであって、
前記表示装置は個体識別が可能な音声信号を発する手段を有し、
前記携帯用情報機器は前記音声信号を聞き取り前記サーバに送信する手段を有し、
前記サーバは前記携帯用情報機器から送信された前記音声信号で前記表示装置の識別を行う手段を有することを特徴とする情報提供システム。
【請求項３】
サーバと、前記サーバと相互通信が可能である携帯用情報機器と、前記サーバが送信した情報を受信する表示装置と、を用いる情報提供システムであって、
前記表示装置は、前記サーバから送信された情報を蓄積しておく手段を有することを特徴とする情報提供システム。
【請求項４】
サーバと、前記サーバと相互通信が可能である携帯用情報機器と、前記サーバが送信した情報を受信する表示装置と、を用いる情報提供システムであって、
前記表示装置は、前記携帯用情報機器が発する検索信号および検索信号以外の電磁波を感知する手段を有していることを特徴とする情報提供システム。
【請求項５】
データベースを有するサーバと、前記サーバと相互通信が可能な携帯用情報機器と、前記サーバが送信した情報を受信する表示装置と、を用いる情報提供システムであって、
前記携帯用情報機器は、検索信号を前記サーバに送信し、前記サーバは前記検索信号をもとに前記データベースの検索を行い、かつ、前記表示装置に検索した情報を送信し、前記表示装置は前記情報を表示することを特徴とする情報提供システム。
【請求項６】
第２のサーバが管理するデータベースから情報を得る第１のサーバと、前記第１のサーバと相互通信が可能な携帯用情報機器と、前記第１のサーバからの情報を受信する表示装置と、を用いる情報提供システムであって、
前記携帯用情報機器は、検索信号を前記第１のサーバに送信し、
前記第１のサーバは第２のサーバと通信する手段を有しており、前記検索信号を前記第２のサーバに送信し、かつ、前記第２のサーバが管理するデータベースを前記検索信号に基づき検索し、検索した情報を受信し、該情報を前記表示装置に送信し、
前記表示装置は前記情報を表示することを特徴とする情報提供システム。
【請求項７】
携帯用情報機器が、サーバに表示装置および前記携帯用情報機器自体の個体識別情報を送信するステップと、
前記サーバが、前記携帯用情報機器および前記表示装置の個体識別を確認するステップと、
前記サーバが、前記データベースを検索し、前記表示装置に検索した情報を送信するステップと、
前記表示装置が前記サーバから送信された情報を表示するステップと、
前記サーバは、前記表示装置に情報が表示されたことを確認し、前記携帯用情報機器に課金するステップと、
を含むことを特徴とする情報提供方法。
【請求項８】
携帯用情報機器が、サーバに表示装置および前記携帯用情報機器自体の識別信号を送信するステップと、
前記サーバが、前記携帯用情報機器および前記表示装置の個体識別を確認するステップと、
前記サーバが、前記表示装置に検索のためのメニュー画面を表示するための情報を送信するステップと、
前記携帯用情報機器が、検索信号を送信するステップと、
前記サーバが、前記検索信号をもとに前記データベースの検索を行うステップと、
前記サーバが、検索した情報を前記表示装置に送信するステップと、
前記サーバが、前記表示装置に情報が表示されたことを確認し、通信回線の管理者に前記携帯用情報機器に対する課金処理を依頼するステップと、
を含むことを特徴とする情報提供方法。
【請求項９】
請求項７または請求項８において、前記サーバが、複数の携帯用情報機器から検索信号を受信した場合、前記検索信号の調停を行い前記データベースの検索を行うステップと、
前記サーバが、複数の検索した情報を順に表示装置に送信するステップと、
前記表示装置が、複数の領域に分割された表示部において前記複数の異なる情報を表示、もしくは前記複数の異なる情報を表示部に重複させて表示するステップと、
を含むことを特徴とする情報提供方法。
【請求項１０】
携帯用情報機器が、サーバに表示装置および前記携帯用情報機器自体の識別信号を送信するステップと、
前記サーバが、前記携帯用情報機器および前記表示装置の個体識別を確認するステップと、
前記携帯用情報機器が、検索信号を第１のサーバに送信するステップと、
前記第１のサーバが、第２のサーバと通信し、前記検索信号を前記第２のサーバに送信し、かつ、前記第２のサーバが管理するデータベースを前記検索信号に基づき検索し、検索した情報を受信し、該情報を前記表示装置に送信するステップと、
前記表示装置が、前記情報を表示するステップと、
を含むことを特徴とする情報提供方法。
【請求項１１】
請求項７乃至請求項１０のいずれか一項において、前記表示装置は、不特定多数の人が視認可能な場所に設置されていることを特徴とする情報提供方法。
【請求項１２】
請求項７乃至請求項１０のいずれか一項において、前記携帯用情報機器と前記表示装置とは、個体識別可能な信号の通信を行うステップと、
前記携帯用情報機器が、前記表示装置および前記携帯用情報機器自体の個体識別情報を前記サーバまたは前記第１のサーバに送信するステップと、
を含むことを特徴とする情報提供方法。
【請求項１３】
請求項７乃至請求項１０のいずれか一項において、前記表示装置が、回線によって前記サーバまたは前記第１のサーバからの情報を受信するステップを含むことを特徴とする情報提供方法。
【請求項１４】
請求項７乃至請求項１０のいずれか一項において、前記表示装置が、衛星を介して前記サーバまたは前記第１のサーバからの情報を受信するステップを含むことを特徴とする情報提供方法。
【請求項１５】
請求項７乃至請求項１０のいずれか一項において、前記サーバまたは前記第１のサーバが、前記表示装置に数字または文字の情報を送信するステップと、
前記表示装置が、前記情報を表示するステップと、
前記携帯用情報機器が、前記表示装置に表示された数字または文字を前記サーバまたは前記第１のサーバに送信するステップと、
前記サーバまたは前記第１のサーバが、前記携帯用情報機器が前記表示装置に表示される情報を視認可能な位置に存在することを確認するステップと、
を含むことを特徴とする情報提供方法。
【請求項１６】
請求項７乃至請求項１０のいずれか一項において、前記表示装置が、通信社、新聞社または放送局による配信情報から選ばれた情報を表示するステップを含むことを特徴とする情報提供方法。
【請求項１７】
請求項１６において、前記表示装置は、プログラムされた時間、またはサーバが操作を行った時に、前記配信情報およびデータベースで検索された情報を同一の画面上に表示するステップを含むことを特徴とする情報提供方法。
【請求項１８】
データベースを有するサーバと、前記サーバと相互通信が可能である携帯用情報機器と、前記サーバが送信した情報を受信する表示装置と、を用いる情報提供方法であって、
前記サーバが前記携帯用情報機器からの検索信号を受信していない場合、前記サーバは、前記データベースに蓄積された商業広告または公共広告を情報として前記表示装置に送信し表示するステップを含むことを特徴とする情報提供方法。
【請求項１９】
データベースを有するサーバと、前記サーバが送信した情報を受信する表示装置と、を用いる情報提供方法であって、
前記サーバは宣伝依頼者の広告のための情報をデータベースに蓄積し、不特定多数の人に広告を情報として提供するため前記表示装置に前記情報を送信し、前記宣伝依頼者に広告媒体として用いることに対して課金を行うステップを含むことを特徴とする情報提供方法。
【請求項２０】
データベースを有するサーバと、前記サーバと相互通信が可能である携帯用情報機器と、前記サーバが送信した情報を受信する表示装置と、を用いる情報提供方法であって、
前記携帯用情報機器は、検索信号を前記サーバに送信し、前記サーバは前記検索信号をもとに前記データベースの検索を行い、かつ、前記表示装置に検索した情報を送信し、前記表示装置は前記情報を表示するステップを含むことを特徴とする情報提供方法。